(57)【要約】【課題】ランプ交換が容易であり、導光板の入光面の清掃も容易に行える液晶モジュールの提供を目的とする。【解決手段】順に積層された液晶パネル１０と導光板５０と反射シート６０が、フレーム４０とベゼル３０とにより表示面および背面を除いた周囲を囲われ、導光板の入光面５１とベゼル３０の上側面との間にランプ８０及びリフレクタ７０が配置される。リフレクタ７０は溝型の内部にランプ８０を保持しつつ、ベゼル３０の一方の側面に形成された開口３１ａを通して、リフレクタの基面７１をベゼル３０の上面に当接させつつ開口３４ａからスライドさせて脱着可能である。【選択図】図３
2008216815.tif 000002
【特許請求の範囲】
【請求項１】
順に積層された液晶パネルと導光板と反射シートとが表示面を除いた周囲を筺体にて囲われ、前記導光板の入光面と前記筺体の一側面との間にランプ及び反射板が配置されたエッジライト方式の液晶モジュールにおいて、
入光面の側を厚く、該入光面からその対向する面に近づくにつれて徐々に薄くなる断面略楔形の導光板と、
前記導光板の前面と所定の間隔を保つように配置される液晶パネルと、
前記導光板の背面の略全面を覆うように略密着する反射シートと、
枠体の対向する左右の辺を成す左右の縦枠部と両縦枠部の下端を接続する縦枠部よりも長い横枠部とで略コ字型の枠体を構成し、この枠内部に前記反射シートと前記導光板と前記液晶パネルとが順に積層されるフレームと、
前記フレームの背面側に配置されて前記液晶パネルとフラットケーブルで接続される制御基板と、
該制御基板を背面側から覆うシールド板と、
下側面が前記フレームとの間に前記フラットケーブルを挟んで前記フレームの横枠部に、左側面が前記縦枠部に、右側面が前記縦枠部に、それぞれ接すると共に、上側面が前記フレームに当接せず前記フレームの内部に積層される部材との間に収容部を形成し、側面には該収容部に連通する開口が形成されるように前面側から前記フレームを覆うように嵌め合わされるベゼルと、
平行に並べられた２本の冷陰極蛍光管を、その両端に嵌めた略直方体状のソケットで連結しており、ソケットの外側面から冷陰極蛍光管の端子に接続されたリード線がそれぞれ延出されたランプと、
金属板を断面コ字型に折り曲げて、互いに略平行な前側面と後側面とこれらの面を接続する基面とから成る溝が左右に延びる溝型に形成され、前記ソケットが該溝の各面の内側にそれぞれ密着して該溝に沿って前記冷陰極蛍光管を保持して、内部に収容した前記ランプの光を所定の方向に反射するリフレクタと、
を備え、
前記収容部において前記導光板の入光面の側が前記フレームのコ字の開口から僅かにはみ出しており、
前記前面側の高さが前記開口の幅よりも僅かに短く形成されつつ前記導光板の入光面と前記ベゼルの上面の間隔よりも長く形成され、
前記後側面の高さが開口の幅よりも長く形成され、
前記前側面が前記導光板の前面に、前記基面が前記ベゼルの上側面に、前記後側面が前記フレームの背面に、それぞれ略当接しながら、前記導光板の前面側端部に案内されつつ、前記開口を通過して前記収容部にスライド挿入されることを特徴とする液晶モジュール。
【請求項２】
順に積層された液晶パネルと導光板と反射シートとが表示面を除いた周囲を筺体にて囲われ、前記導光板の入光面と前記筺体の一側面との間にランプ及び反射板が配置されたエッジライト方式の液晶モジュールにおいて、
前記筺体が、本液晶モジュールの背面側を覆わない形状とされ、
前記反射板は、溝の開口を前記入光面に対向させつつ前記ランプを溝内に保持する溝型とされ、
前記反射板を挿通可能な開口が、前記筺体の一方の側面に形成され、
前記反射板の底板を前記枠体に当接させつつ前記開口から前記反射板をスライドさせて脱着可能である液晶モジュール。
【請求項３】
前記反射板は、前記筺体の背面側からも着脱可能である請求項２の液晶モジュール。
【請求項４】
前記反射板を装着時には、前記反射板の背面側の側板が、前記反射シートの背面の少なくとも一部を覆うように延出された請求項２又は請求項３に記載の液晶モジュール。
【請求項５】
前記反射板の少なくとも底板に当接しつつ前記ランプを前記反射板の溝内の所定位置に保持する保持部材を更に備え、
該保持部材を前記反射板の溝内の所定位置に係止する係止構造を、該保持部材と前記反射板とに設けた請求項２〜請求項４の何れか一項に記載の液晶モジュール。
【請求項６】
前記係止構造が、前記保持部材に形成された突起と前記底板に形成された貫通穴とから構成され、
前記筺体の所定位置に穴が形成され、
前記突起が前記穴から前記底板の外面側に突出し、前記穴と係合する請求項５に記載の液晶モジュール。
【請求項７】
前記導光板には対向する１組の側面にそれぞれ入光面が形成され、
前記ランプ及び反射板が２組備えられており、各入光面に１組の前記ランプ及び反射板が配置される請求項２〜請求項６の何れか一項に記載の液晶モジュール。
【発明の詳細な説明】
【技術分野】
【０００１】
本発明は、エッジライト方式の液晶モジュールに関する。
【背景技術】
【０００２】
従来、エッジライト方式の液晶モジュールでは、図１１のように、両端にソケットが取り付けられたランプを溝内に収容する溝型に形成されたリフレクタ２を、溝の開口を導光板１の入光面に合わせた上でフレーム３への取り付けを行い、導光板１の前面側に液晶パネルを配置すると共に、導光板１の背面側に反射シートを配置していた。そして、液晶パネルの表示面を略矩形に開口した金属製のベゼルを液晶パネルの表示面側から被せることにより、液晶パネル表示面の上下左右端部およびフレーム３側面を覆蓋し、ベゼルをフレーム３側面に締結していた。また、液晶モジュールの背面側も板金で覆われていた。
【０００３】
従って、リフレクタ２内に収容されたランプ交換を行う場合は、ネジを外してベゼル及び液晶パネルを外して、導光板１とリフレクタ２をフレーム３から取り外す必要があった。即ち、液晶モジュールを完全に分解しないとランプ交換が出来ない構成であった。
【０００４】
このような問題に対処する技術として、以下のものが知られている。
即ち、特許文献１には、ランプを収容するリフレクタの光を出射する側に突起を設けると共に、導光板の入光面に略垂直な係合穴を設け、突起を係合穴に挿入して導光板にリフレクタを保持する構造について記載されている。また、特許文献２，３には液晶モジュールの側面の開口からリフレクタをスライドさせて脱着可能な構造について記載されている。
【特許文献１】特開平１０−３３９８６８号公報
【特許文献２】特開平１０−９７８０６号公報
【特許文献３】特開平６−５１２９３号公報
【発明の開示】
【発明が解決しようとする課題】
【０００５】
しかしながら、特許文献１記載の技術では導光板の入光面に係合穴が形成されているため導光板への入光率が低下すると共に入光面に傷が付くおそれがある。特許文献２記載の技術では導光板の入光面の清掃が出来ない。特許文献３記載の技術では、スライド機構の前面側を開口すると共に背面側を保持筺体が覆っているため、美観を損なうためこのスライド機構を備えた部位を外部に露見しにくく、結果として導光板の入光面の清掃を行うには液晶表示装置（液晶モジュール）を組み込み先となる装置から取り外す必要があった。
【０００６】
本発明は、前記課題に鑑みてなされたもので、ランプ交換が容易であり、導光板の入光面の清掃も容易に行える液晶モジュールの提供を目的とする。
【課題を解決するための手段】
【０００７】
前記課題を解決するために、請求項２にかかる液晶モジュールでは、順に積層された液晶パネルと導光板と反射シートとが表示面を除いた周囲を筺体にて囲われ、前記導光板の入光面と前記筺体の一側面との間にランプ及び反射板が配置されたエッジライト方式の液晶モジュールにおいて、前記筺体が、本液晶モジュールの背面側を覆わない形状とされ、前記反射板は、溝の開口を前記入光面に対向させつつ前記ランプを溝内に保持する溝型とされ、前記反射板を挿通可能な開口が、前記筺体の一方の側面に形成され、前記反射板の底板を前記枠体に当接させつつ前記開口から前記反射板をスライドさせて脱着可能であり、前記反射板を装着時には前記反射板の一方の側板が本液晶モジュールの背面の一部を覆うように構成してある。
【０００８】
また、請求項１にかかる液晶モジュールは、順に積層された液晶パネルと導光板と反射シートとが表示面を除いた周囲を筺体にて囲われ、前記導光板の入光面と前記筺体の一側面との間にランプ及び反射板が配置されたエッジライト方式の液晶モジュールにおいて、入光面の側を厚く、該入光面からその対向する面に近づくにつれて徐々に薄くなる断面略楔形の導光板と、前記導光板の前面と所定の間隔を保つように配置される液晶パネルと、前記導光板の背面の略全面を覆うように略密着する反射シートと、枠体の対向する左右の辺を成す左右の縦枠部と両縦枠部の下端を接続する縦枠部よりも長い横枠部とで略コ字型の枠体を構成し、この枠内部に前記反射シートと前記導光板と前記液晶パネルとが順に積層されるフレームと、前記フレームの背面側に配置されて前記液晶パネルとフラットケーブルで接続される制御基板と、該制御基板を背面側から覆うシールド板と、下側面が前記フレームとの間に前記フラットケーブルを挟んで前記フレームの横枠部に、左側面が前記縦枠部に、右側面が前記縦枠部に、それぞれ接すると共に、上側面が前記フレームに当接せず前記フレームの内部に積層される部材との間に収容部を形成し、側面には該収容部に連通する開口が形成されるように前面側から前記フレームを覆うように嵌め合わされるベゼルと、平行に並べられた２本の冷陰極蛍光管を、その両端に嵌めた略直方体状のソケットで連結しており、ソケットの外側面から冷陰極蛍光管の端子に接続されたリード線がそれぞれ延出されたランプと、金属板を断面コ字型に折り曲げて、互いに略平行な前側面と後側面とこれらの面を接続する基面とから成る溝が左右に延びる溝型に形成され、前記ソケットが該溝の各面の内側にそれぞれ密着して該溝に沿って前記冷陰極蛍光管を保持して、内部に収容した前記ランプの光を所定の方向に反射するリフレクタと、を備え、前記収容部において前記導光板の入光面の側が前記フレームのコ字の開口から僅かにはみ出しており、前記前面側の高さが前記開口の幅よりも僅かに短く形成されつつ前記導光板の入光面と前記ベゼルの上面の間隔よりも長く形成され、前記後側面の高さが開口の幅よりも長く形成され、前記前側面が前記導光板の前面に、前記基面が前記ベゼルの上側面に、前記後側面が前記フレームの背面に、それぞれ略当接しながら、前記導光板の前面側端部に案内されつつ、前記開口を通過して前記収容部にスライド挿入される構成としてある。
【発明の効果】
【０００９】
本発明によれば、ランプ交換が容易であり、導光板の入光面の清掃も容易に行える液晶モジュールを提供することができる。
請求項３にかかる発明によれば、液晶モジュールの背面側からもランプ交換が可能となる。
請求項４にかかる発明によれば、反射シートが強固に固定されるようになる。
請求項５にかかる発明によれば、ランプ交換時の反射板に対するランプ取り付けが容易になる。
請求項６にかかる発明によれば、ランプユニットの取り付けが容易になる。
請求項７にかかる発明によれば、本発明が適用された２灯式の液晶モジュールを提供可能となる。
請求項１のような、より具体的な構成において、前述した請求項２と同様の作用を奏することはいうまでもない。
【発明を実施するための最良の形態】
【００１０】
以下、下記の順序に従って本発明の実施形態を説明する。
（１）液晶モジュールの構成：
（２）変形例：
（３）まとめ：
【００１１】
（１）液晶モジュールの構成： 
図１は、ランプユニットＬＵを除く液晶モジュール１００を分解して示した斜視図である。以下、液晶パネル１０の表示面側を正面、ランプユニットＬＵが収容される収容部Ｓを備える側を上面として説明を行う。
【００１２】
ランプユニットＬＵを除く液晶モジュール１００は、概略、反射シート６０、導光板５０、液晶パネル１０の順にフレーム４０の枠内部に積層されており、前面側からフレーム４０を覆うようにベゼル３０が嵌め合わされた後、フラットケーブル１５，１５で液晶パネル１０と接続された制御基板２０が背面側に配置されて構成される。フラットケーブル１５，１５は、フレーム４０とベゼル３０の間で、フレーム４０の側面を伝ってフレーム４０の表と裏とを接続している。
【００１３】
フレーム４０は、略コ字型の枠体であり、枠体の対向する左右の辺を縦枠部４２，４３が構成し、縦枠部よりも長い横枠部４１が両縦枠部の下端を接続している。このフレーム４０の枠内部に積層される部材のうち、液晶パネル１０と反射シート６０はフレーム４０のコ字の枠内に収まっているが、導光板５０は入光面５１の側がコ字の開口から僅かにはみ出している。
【００１４】
導光板５０は入光面５１の側を厚く、入光面５１からその対向する面５２に近づくにつれて徐々に薄くなる断面略楔形となっている。フレーム４０の枠内には、導光板５０を載置して保持する保持部４４，４４が設けられている。これら保持部４４，４４には、載置された導光板５０の前面５５が液晶パネル１０のパネル面に対して略平行となるような傾斜がつけてある。液晶パネル１０は、側面略中央に突起１１，１１を有し、フレーム４０背面側下方に形成された凹み４５，４５に係合しており、導光板の前面５５と所定の間隔を保つようにフレーム４０上に載置される。
【００１５】
フレーム４０を前面から覆うベゼル３０は、幅がフレーム４０の外寸に略一致し、高さはランプユニットＬＵが収容されるスペースが形成される分だけフレーム４０の外寸よりも長くなる。ベゼル３０の前面側の上下左右端部からは内側に向けて所定幅の面が略垂直に延出され、この面に囲われる矩形の開口から液晶パネル１０のビューエリアを露見させている。そして、ベゼル３０の各側面は、下側面３１がフラットケーブル１５，１５を挟んでフレーム４０の横枠部４１に、左側面３３が縦枠部４３に、右側面３４が縦枠部４２に、それぞれ接している。
【００１６】
そして、図３に示すように、各側面３１，３２，３３に形成された穴を通してフレーム４０の外側面にネジで固定されており、積層された反射シート６０、導光板５０、液晶パネル１０、をフレーム４０の枠内に保持にされることになる。即ち、これらフレーム４０とベゼル３０が筺体を構成する。
【００１７】
一方、ベゼルの上側面３２はフレーム４０には当接せず、フレーム４０とこの内部に積層される部材との間にスペースが形成されて、後述の収容部Ｓとなる。側面３４にはこの収容部Ｓに連通する開口３４ａが形成される。
【００１８】
図５に示すように、フレームの縦枠部４２，４３には背面側に制御基板２０を保持する凹み４６，４６が形成されており、この凹み４６，４６に制御基板２０側面から突出した突起２１，２１が係合されることにより、制御基板２０が液晶モジュール１００の背面側の所定位置に係止される。そして、制御基板２０の背面から、制御基板２０と略同型の板金を合わせて載置し、板金と制御基板２０を共にフレーム４０に締結する。この板金は、制御基板２０を物理的・電磁的に保護するシールド板である。
【００１９】
図２は、ランプユニットＬＵを分解して示した斜視図である。ランプユニットＬＵは、ランプ８０、内部に収容したランプ８０の光を所定の方向に反射するリフレクタ７０（反射板）、で構成される。リフレクタ７０は、金属板を断面コ字型に折り曲げて、左右に延びる溝型に形成される。より具体的には、基面の両端を略垂直に折り曲げて、互いに平行な側板を形成し、底板となる基面と側板とで囲われる溝型になる。
【００２０】
ランプ８０は、平行に並べられた２本の冷陰極蛍光管（ＣＣＦＬ）８１，８１を、その両端に嵌めた略直方体状のソケット８２，８３で連結している。ソケット８２，８３の外側面からは、ＣＣＦＬ８１，８１の端子に接続されたリード線８４，８５がそれぞれ延出されている。これらのソケット８２，８３（保持部材）の３つの面が、リフレクタ７０の基面７１、前側面７２、後側面７３の内側にそれぞれ密着し、リフレクタ７０の溝に沿ってＣＣＦＬ８１，８１が保持される。
【００２１】
ランプユニットＬＵは、収容部Ｓへの収容時に先に挿入される側のリード線８５が後側面７３の外側を伝わせられて、他方のリード線８４とまとめて外部へと引き回され、インバータ回路に接続される。このインバータ回路から供給されるインバータ電圧でＣＣＦＬ８１，８１が点灯される。収容されたランプユニットＬＵから出射された光は、導光板５０の境界面や導光板５０の背面を略全面覆う反射シート６０で反射されつつ液晶パネル１０の背面側を照射する。
【００２２】
ランプユニットＬＵを収容部Ｓに収容するには、前側面７２が開口３４ａを通過しなければならない。図４に、ランプユニットＬＵと収容部Ｓのサイズを比較する図を示した。同図に示すように、リフレクタの前側面７２の高さＤ２は、開口３４ａの幅Ｄ３よりも僅かに短く形成される。また、導光板５０の前面５５の端部は、ランプユニットＬＵをスライドさせるための案内となる。そのため、リフレクタの前側面７２の高さＤ２は、導光板の入光面５１とベゼルの上側面３２の間隔Ｄ４よりも長く形成されている。一方、後側面７３は開口３４ａを通過せずにフレーム４０の背面側を通るため、開口３４ａの幅Ｄ３に合わせる必要は無く、後側面７３の高さＤ１は高さＤ３よりも長く形成される。
【００２３】
以上のように形成されたランプユニットＬＵは、図６の要部断面図に示すように、リフレクタの前側面７２は導光板５０の前面５５に、基面７１はベゼル３０の上側面３２に、後側面７３はフレーム４０の背面に、それぞれ略当接しながら、導光板５０の前面側端部に案内されつつ、右側面の開口３４ａを通過して収容部Ｓにスライド挿入される。そして、ランプユニットＬＵが収容部Ｓに収容されると、リフレクタの後側面７３に形成された穴７３ｂ，７３ｂを通して、リフレクタ７０がフレーム４０に締結される。
【００２４】
収容部ＳにランプユニットＬＵが収容された時に、開口３４ａに近い側となるソケット８２には、リフレクタの基面７１と接触する側に突起８６が形成されている。そして基面７１には、この突起８６と係合する穴７１ａが形成されている。これら突起８６と穴７１ａはランプユニットＬＵを構成する時に位置決めに用いられる係止構造であり、突起８６と穴７１ａを係合させることにより、リフレクタ７０の所定位置にランプ８０を配置することができる。
【００２５】
以上の構成により、ランプユニットＬＵと、ランプユニットを除く液晶モジュールが完成し、開口３４ａを挿通してランプユニットＬＵを収容部Ｓにスライドさせて挿入する。即ち、リフレクタの前側面７２先端を導光板５０の前面５５側に当接させて前後方向の位置決めとしつつ、この導光板５０に案内されつつ幅方向にスライドして収容部Ｓの所定位置に装着される。そして、図５のように、背面側から穴７３ｂ，７３ｂにネジを挿通してフレーム４０の縦枠部４２，４３にネジ止めされ、所定位置に固定される。
【００２６】
一方、ランプ交換等を行う場合は、穴７３ｂ，７３ｂのネジを取り外してランプユニットＬＵを開口３４ａを通して側方にスライドさせて引き出し、液晶モジュール１００から取り外す。そして、ＣＣＦＬ８１，８１を交換して、再度リフレクタ７０の溝内に収容し、開口３４ａを通して収容部Ｓにスライド挿入する。挿入後、ネジ止めにより固定する。即ち、液晶モジュール１００全体を取り外すことなく、ネジを２つ外してランプユニットＬＵをスライドさせて取り外すだけでランプ交換が可能となる。また、収容部ＳからランプユニットＬＵが取り外されると、背面側から導光板の入光面５１が露見し、液晶モジュール１００全体を取り外すことなく、入光面５１の清掃も行える。
【００２７】
（２）変形例： 
以上のランプユニットは、以下の変形が可能である。
１．図７に示すように、リフレクタ７０の前側面を、前側面１７２のように上下幅Ｄ５をＤ４よりも短くし、導光板５０とベゼル３０の上面との間を通過可能としてもよい。すると、ランプユニットＬＵ２は、開口３４ａを通してのスライド挿入のみならず、背面側から収容部Ｓへ着脱可能になる。このとき、ランプユニットＬＵ２が入光面５１と擦過することにより、入光面５１に傷をつける恐れがあるため、ソケット８２，８２の上下幅をＤ５よりも長くする等、前側面１７２と入光面５１が接触しにくい構造とすると良い。その際、開口３４ａは必ずしも形成する必要は無い。
【００２８】
２．図８に示すように、リフレクタ７０の後側面を、後側面２７３のように長く形成しても良い。即ち、後側面２７３の上下幅Ｄ６を前述した実施形態における上下幅Ｄ１よりも長くし、液晶モジュール１００の背面側をより広く覆うようにする。
前述した実施形態においては、ベゼル３０およびフレーム４０は背面側を覆っておらず、制御基板２０の配置される部位を除くと、背面側には反射シート６０が露出しており、反射シート６０は保持部４４，４４と導光板５０の間に挾持されているだけだが、後側面２７３のように上下幅を長くすると後側面２７３と導光板５０の間でも挾持されることになり、反射シート６０の固定力が向上する。この上下幅Ｄ６は、最大で制御基板２０の手前まで、即ち長さＤ７まで延長可能である。
【００２９】
３．図９に示すように、ソケット８２に形成される突起の長さを、突起３８４のようにリフレクタ７０の基面７１の外側まで突出する長さに形成してもよい。このとき、ベゼル３０の上側面にも突起３８４と係合可能な貫通穴を形成し、収容部Ｓの所定位置にランプユニットＬＵ４が収容されると突起３８４とベゼル３０の穴とが係合するように構成する。このように構成すると、突起３８４が、リフレクタ７０に対するランプ８０の位置決めのみならず、収容部ＳにおけるランプユニットＬＵ４の位置決めとしても作用することになる。
【００３０】
４．図１０に示すように、液晶モジュール１００は両端にそれぞれランプユニットＬＵ５，ＬＵ６を備える２灯式であってもよい。２灯式を採用すると、液晶モジュール１００の輝度が向上する。この２灯式を採用する場合は、導光板には、例えば、Ｖ型導光板４５０を用いる。Ｖ型導光板は、導光板の両端に形成される入光面から中央に至るほど厚さが薄くなり、２灯式の液晶モジュールに適する。また、フレームは、縦枠のみで構成されることになり、二の字状に平行に配置された縦枠上に、反射シート４６０、Ｖ型導光板４５０、液晶パネル４１０を順に載置し、その上からベゼル４３０を被せてフレームにネジ止めすることによりランプユニットＬＵ５，ＬＵ６を除く液晶モジュール１００が形成される。
【００３１】
（３）まとめ： 
つまり、順に積層された液晶パネル１０と導光板５０と反射シート６０が、フレーム４０とベゼル３０とにより表示面および背面を除いた周囲を囲われ、導光板の入光面５１とベゼル３０の上側面との間にランプ８０及びリフレクタ７０が配置される。リフレクタ７０は溝型の内部にランプ８０を保持しつつ、ベゼル３０の一方の側面に形成された開口３１ａを通して、リフレクタの基面７１をベゼル３０の上面に当接させつつ開口３４ａからスライドさせて脱着可能である。よってランプ交換が容易であり、導光板の入光面の清掃も容易に行える液晶モジュールが提供可能となる。
【００３２】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【図面の簡単な説明】
【００３３】
【図１】ランプユニットを除いた液晶モジュールの分解斜視図である。
【図２】ランプユニットの分解斜視図である。
【図３】液晶モジュールにランプユニットを取り付ける様子を示した斜視図である。
【図４】収容部とランプユニットのサイズを比較する図である。
【図５】液晶モジュールを背面から見た斜視図である。
【図６】図５のＡ−Ａ断面で切断して見た要部断面図である。
【図７】本発明の変形例を示す斜視図である。
【図８】本発明の変形例を示す斜視図である。
【図９】本発明の変形例を示す斜視図である。
【図１０】本発明の変形例を示す斜視図である。
【図１１】従来の液晶モジュールを示す斜視図である。
【符号の説明】
【００３４】
１０…液晶パネル、１１…突起、１５…フラットケーブル、２０…制御基板、２１…突起、３０…ベゼル、３１…下側面、３２…上側面、３３…左側面、３４…右側面、３４ａ…開口、４０…フレーム、４１…横枠部、４２，４３…縦枠部、４４…保持部、５０…導光板、５１…入光面、５２…面、５５…前面、６０…反射シート、７０…リフレクタ、７１…基面、７１ａ…穴、７２…前側面、７３…後側面、７３ｂ…穴、８０…ランプ、８１…冷陰極蛍光管（ＣＣＦＬ）、８２、８３…ソケット、８４，８５…リード線、８６…突起、１００…液晶モジュール、１７２…前側面、２７３…後側面、３８４…突起、４１０…液晶パネル、４３０…ベゼル、４５０…Ｖ型導光板、４６０…反射シート、ＬＵ…ランプユニット、ＬＵ２…ランプユニット、ＬＵ３…ランプユニット、ＬＵ４…ランプユニット、ＬＵ５…ランプユニット、ＬＵ６…ランプユニット、Ｓ…収容部。
【図１】
2008216815.tif 000003
【図２】
2008216815.tif 000004
【図３】
2008216815.tif 000005
【図４】
2008216815.tif 000006
【図５】
2008216815.tif 000007
【図６】
2008216815.tif 000008
【図７】
2008216815.tif 000009
【図８】
2008216815.tif 000010
【図９】
2008216815.tif 000011
【図１０】
2008216815.tif 000012
【図１１】
2008216815.tif 000013